(57)【特許請求の範囲】
【請求項１】
バルコニーの手摺壁の隅部にブラケットを介してテラス屋根の支柱を固定する構造であって、上記ブラケットは上記手摺壁の隅部で交わる二つの面に当接される正面側及び側面側の当接部と、上記支柱の正面側及び側面側を受けることが可能な受け部とを有し、その正面側の当接部又は受け部に、側面側の受け部との間で上記支柱を出入方向に移動調整可能に支持する支持部を設け、該支持部と側面側の受け部との間に支柱を配置してこれらを貫通するように固定具を設けることにより支柱を固定したことを特徴とするテラス屋根の支柱固定構造。
【発明の詳細な説明】
【技術分野】
【０００１】
本発明は、テラス屋根の支柱固定構造に係り、特にバルコニーの手摺壁の隅部にブラケットを介してテラス屋根の支柱を固定する技術に関するものである。
【背景技術】
【０００２】
建物においては、その外壁にバルコニーを設けると共に該バルコニーの上方にテラス屋根を設ける場合がある。この場合、テラス屋根の支柱を固定するために、バルコニーの手摺壁の内側面にブラケットを介してテラス屋根の支柱を固定する支柱固定構造が採用される（例えば、特許文献１参照）。
【０００３】
図６は従来の支柱固定構造を示す断面図、図７は同支柱固定構造の分解斜視図である。これらの図に示すように、バルコニー２は、建物の外壁に張出して設けられた床部５と、この床部５の外縁部に立ち上がって設けられた外壁状の手摺壁６とを備えている。手摺壁６の上部には笠木１８を介して図示しない手摺が設けられる。上記手摺壁６の隅部にブラケット４０がボルト４１により上下に取付けられ、これらのブラケット４０に対して図示しないテラス屋根の支柱７がボルト４２，４３で固定されている。
【０００４】
上記ブラケット４０は、手摺壁６の隅部で交差する二つの面２２ａ，２２ｂにそれぞれ当接される正面側及び側面側の当接部４４ａ，４４ｂと、上記支柱７の正面側及び側面側を受ける受け部４５ａ，４５ｂとを有している。これらの受け部４５ａ，４５ｂに支柱７の正面側及び側面側を当接させ、各受け部４５ａ，４５ｂに対して支柱側から固定具であるボルト４２，４３を捩じ込んで締め付けることにより支柱７を固定するようになっている。この場合、各ブラケット４０に対して二本のボルト４２，４３を互いに干渉しないように上下方向に位置をずらして交差させた状態で捩じ込むために、二つの受け部４５ａ，４５ｂには対応する位置にネジ孔４６ａ，４６ｂが設けられ、支柱７にも対応する位置にボルト４２，４３を挿通する挿通孔４７ａ，４７ｂが設けられる。なお、図７中、５０は支柱の下端部に装着されるキャップである。
【０００５】
【特許文献１】特開平８−１２０７６９号公報
【発明の開示】
【発明が解決しようとする課題】
【０００６】
しかしながら、上記従来の支柱固定構造においては、支柱を固定する場合、予め設置したブラケットに対して現場で孔部の位置に合わせて支柱に挿通孔を２個ずつ加工し、ボルトを２本ずつ捩じ込まなければならないため、多くの手間及びコストがかかるという問題があった。また、手摺壁の仕上がり等によって、ブラケットと支柱には出入方向に相対的に位置ずれが生じる場合があるが、上記支柱固定構造では、その位置ずれを調整することが困難であった。
【０００７】
本発明は、上述した従来の技術が有する課題を解消し、支柱を固定する場合の手間及びコストの低減が図れると共にブラケット及び支柱の出入方向の相対的位置ずれを容易に調整することができるテラス屋根の支柱固定構造を提供することを目的とする。
【課題を解決するための手段】
【０００８】
上記目的を達成するために、本発明は、バルコニーの手摺壁の隅部にブラケットを介してテラス屋根の支柱を固定する構造であって、上記ブラケットは上記手摺壁の隅部で交わる二つの面に当接される正面側及び側面側の当接部と、上記支柱の正面側及び側面側を受けることが可能な受け部とを有し、その正面側の当接部又は受け部に、側面側の受け部との間で上記支柱を出入方向に移動調整可能に支持する支持部を設け、該支持部と側面側の受け部との間に支柱を配置してこれらを貫通するように固定具を設けることにより支柱を固定したことを特徴とする。
【発明の効果】
【０００９】
本発明によれば、バルコニーの手摺壁の隅部にブラケットを介してテラス屋根の支柱を固定する構造であって、上記ブラケットは上記手摺壁の隅部で交わる二つの面に当接される正面側及び側面側の当接部と、上記支柱の正面側及び側面側を受けることが可能な受け部とを有し、その正面側の当接部又は受け部に、側面側の受け部との間で上記支柱を出入方向に移動調整可能に支持する支持部を設け、該支持部と側面側の受け部との間に支柱を配置してこれらを貫通するように固定具を設けることにより支柱を固定したので、ブラケットに対して支柱を固定具一本で固定することができ、支柱を固定する場合の手間及びコストの低減が図れると共にブラケット及び支柱の出入方向の相対的位置ずれを容易に調整することができる。
【発明を実施するための最良の形態】
【００１０】
以下に、本発明を実施するための最良の形態を添付図面に基いて詳述する。図１は本発明を適用したテラス屋根を概略的に示す斜視図、図２は図１のＡ−Ａ線拡大断面図、図３は図１のＢ−Ｂ線拡大断面図である。
【００１１】
図１に示すように、建物の外壁１には、バルコニー２が設けられると共に、そのバルコニー２の上方を覆うようにテラス屋根３が設けられる。建物の外壁１には室内と室外側のバルコニーとを連通する開口部（出入口）４が設けられている。バルコニー２は、建物の外壁１から室外側へ張出して設けられた床部５と、この床部５の外縁部から立ち上がって設けられた手摺壁６とを有している。テラス屋根３は、建物の外壁２から室外側へ下り勾配で張出して設けられており、その前端左右両側部にはこれを支えるための支柱７を有している。
【００１２】
さらに具体的には、テラス屋根３は、外壁に設けられる図示しない垂木掛けと前枠８との間に複数本の垂木９を掛け渡し、隣り合う垂木９間の上部に合成樹脂製の屋根パネル１０を掛け渡し、垂木９の上部に屋根パネル１０の側縁部を押さえるカバー部材１１を取付けて構成されている（図２参照）。上記前枠８には樋１２が設けられている。
【００１３】
上記手摺壁６は、床部５の前端左右両側部に立設された主柱１３と、両主柱１３の上端部間及び主柱１３の上端部と外壁間に横架された横材１４とからなる骨組み１５と、この骨組み１５の両面に張設された面材（例えばコンパネ）１６と、この面材１６の外面に張設された外壁材１７とから主に構成されている。手摺壁６の上部には該上部を覆うようにその長手方向に沿って笠木１８が設けられ、この笠木１８の上部に手摺支柱１９を介して手摺２０が設けられている。
【００１４】
上記バルコニー２の手摺壁６の隅部（コーナー部）にはブラケット（コーナー用ブラケットともいう。）２１を介して上記テラス屋根３の支柱７が固定されている。上記ブラケット２１は上記手摺壁６の隅部で交わる（図示例では直交する）二つの面２２ａ，２２ｂに当接される正面側及び側面側の当接部２３ａ，２３ｂと、上記支柱７の正面側及び側面側を受けることが可能な受け部２４ａ，２４ｂとを有し、その正面側の当接部２３ａ又は受け部２４ａには、側面側の受け部２４ｂとの間で上記支柱７を左右から挟んで出入方向に移動調整可能に支持する支持部２５が一体に設けられている。
【００１５】
上記ブラケット２１は、上記手摺壁６の隅部に上下方向に所定の間隔を隔てて例えば２個配置され、固定具例えば固定ボルト（コーチボルトともいう。）２６により取付けられる。このブラケット２１の取付強度を確保するために、上記固定ボルト２６は主柱１３に対して捩じ込まれていることが好ましい。そして、上記ブラケット２１の支持部２５と側面側の受け部２４ｂとの間に支柱７を配置してこれらを貫通するように固定具例えばボルト２７を設けることにより支柱７が固定されている。上記ブラケット２１は、例えばアルミ押出形材からなっている。支柱７は、中空の四角柱であり、例えばアルミ押出形材からなっている。支柱７は、上記ブラケット２１の側面側受け部２４ｂと支持部２５との間に丁度収まる大きさとされている。
【００１６】
ブラケット２１の支持部２５にはボルトを通す孔部２８が設けられ、側面側の受け部２４ｂにはボルト２７を螺合するネジ孔２９が設けられている。手摺壁６の仕上がり等によって、ブラケット２１と支柱７には出入方向（室内外方向）に相対的に位置ずれが生じる場合があるため、現場でブラケット２１に対する支柱７の出入方向の位置を調整し、支柱７に対して上記支持部２５の孔部２８と対応する位置にボルト２７を挿通する挿通孔３０を現場で加工する。そして、ボルト２７を支持部２５側の孔部２８から支柱７の挿通孔３０に挿通させて側面側受け部２４ｂのネジ孔２９に螺着し、支柱７を固定する。
【００１７】
このように構成されたテラス屋根３の支柱固定構造によれば、バルコニー２の手摺壁６の隅部にブラケット２１を介してテラス屋根３の支柱７を固定する構造であって、上記ブラケット２１は上記手摺壁６の隅部で交わる二つの面２２ａ，２２ｂに当接される正面側及び側面側の当接部２３ａ，２３ｂと、上記支柱７の正面側及び側面側を受けることが可能な受け部２４ａ，２４ｂとを有し、その正面側の当接部２３ａ又は受け部２４ａに、側面側の受け部２４ｂとの間で上記支柱７を出入方向に移動調整可能に支持する支持部２５を設け、該支持部２５と側面側の受け部２４ｂとの間に支柱７を配置してこれらを貫通するように固定具例えばボルト２７を設けることにより支柱７を固定したので、ブラケット２１に対して支柱７をボルト一本で固定することができ、支柱７を固定する場合の手間及びコストの低減が図れると共にブラケット２１及び支柱７の出入方向の相対的位置ずれを容易に調整することができる。また、上記支柱固定構造によれば、テラス屋根３の支柱７をバルコニー２の左右方向両端に配置して間口を広くすることができるので、室内からの視界が広がるとともに、両支柱７間に洗濯物を干すときの利便性も向上する。
【００１８】
図４は支柱固定構造の他の実施の形態を示す断面図である。図４の実施の形態において、図３の実施の形態と同一部分は同一符号を付して説明を省略する。図４の実施の形態においては、正面側の当接部２３ａと受け部２４ａとの間の寸法ｄ１が、側面側の当接部２３ｂと受け部２４ｂとの間の寸法ｄ２よりも小さく形成されており、これにより支柱７の出入方向の移動調整範囲（調整代）を大きくとることができる。本実施の形態によれば、上記実施の形態と同様の効果を奏することができると共に、ブラケット２１及び支柱７の出入方向の相対的位置ずれをさらに広い範囲で容易に調整ないし吸収することができる。
【００１９】
以上、本発明の実施の形態を図面により詳述してきたが、本発明は前記実施の形態に限定されるものではなく、本発明の要旨を逸脱しない範囲での種々の設計変更が可能である。例えば、バルコニー及びテラス屋根の横幅が長く、両支柱間の間隔が広い場合には、両端部の支柱間に中間支柱を適宜配置してもよい。この場合、例えば図５に示すように、中間支柱３１を固定するための中間部用ブラケット３２を使用すればよい。この中間部用ブラケット３２は、バルコニー２の手摺壁６の内面に当接されてボルト３３で固定される当接部３４と、この当接部３４の両側から上記手摺壁６の内面２２ａに対して垂直に立ち上がり、中間支柱３１を左右から挟んで出入方向に移動調整可能に支持する一対の支持片部３５ａ，３５ｂとを有している。両支持片部３５ａ，３５ｂにはボルト３６を通して掛け渡すための孔部３７が設けられ、中間支柱３１には上記ボルト３６を挿通するための挿通孔３８が上記孔部３７に対応して現場で加工され、これらを締結するべく挿通されたボルト３６の先端にはナットまたは袋ナット３９が螺着される。上記実施の形態では、ブラケット２１が、上記手摺壁６の隅部に上下方向に所定の間隔を隔てて２個配置されているが、ブラケットは上下方向に１個であってもよく、或いは複数個であってもよい。
【図面の簡単な説明】
【００２０】
【図１】本発明を適用したテラス屋根を概略的に示す斜視図である。
【図２】図１のＡ−Ａ線拡大断面図である。
【図３】図１のＢ−Ｂ線拡大断面図である。
【図４】支柱固定構造の他の実施の形態を示す断面図である。
【図５】中間部の支柱固定構造を示す断面図である。
【図６】従来の支柱固定構造を示す断面図である。
【図７】同支柱固定構造の分解斜視図である。
【符号の説明】
【００２１】
１  外壁
２  バルコニー
３  テラス屋根
６  手摺壁
７  支柱
２１  ブラケット
２２ａ，２２ｂ  面
２３ａ，２３ｂ  当接部
２４ａ，２４ｂ  受け部
２５  支持部
２７  ボルト（固定具）
【図１】
0004795065.tif 000002
【図２】
0004795065.tif 000003
【図３】
0004795065.tif 000004
【図４】
0004795065.tif 000005
【図５】
0004795065.tif 000006
【図６】
0004795065.tif 000007
【図７】
0004795065.tif 000008